【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
車体（１）上の刈取懸架台（２）に後部フレーム（３）の基部を支持させ、該後部フレーム（３）を前部下方に延設し、該後部フレーム（３）の前端部に横向きの伝動ケース（４）を連結し、該伝動ケース（４）の前側に刈取装置（６）を設け、該刈取装置（６）の上側に２条分の穀稈を掻込み案内する左右一対の穀稈掻込み装置（７，７）を刈幅方向に三対配列して設け、該三対の穀稈掻込み装置（７，７）のうちの刈幅方向一側端に設けた一対の穀稈掻込み装置（７，７）の刈幅内側に隣接する位置に１条分の穀稈を掻込み案内する単一の第１穀稈掻込み装置（８）を配置して７条刈りの刈取搬送装置を構成したことを特徴とする多条刈りコンバイン。
【請求項２】
前記第１穀稈掻込み装置（８）は、伝動ケース（４）の前側から取り出した回転動力を、２条分の穀稈を掻込み案内する左右一対の穀稈掻込み装置（７，７）のうちの一方の穀稈掻込み装置（７ａ）と、１条分の穀稈を掻込み案内する穀稈掻込み装置（８）との背後に配置した伝動機構（１１）を介して伝動する構成としたことを特徴とする請求項１記載の多条刈りコンバイン。
【請求項３】
前記第１穀稈掻込み装置（８）を、刈幅方向一側端に設けた一対の穀稈掻込み装置（７，７）における刈幅内側の穀稈掻込み装置（７）と略平行に配置し、該第１穀稈掻込み装置（８）によって掻込まれた穀稈を搬送する第１根元搬送チェン（２３）を設け、該第１根元搬送チェン（２３）で搬送された１条分の穀稈を、刈幅方向一側端に設けた一対の穀稈掻込み装置（７，７）によって掻込まれた穀稈を後方の合流部へ搬送する第２根元搬送チェン（９）の側に送り、該第２根元搬送チェン（９）で搬送される２条分の穀稈と合流させて合流部へ搬送する構成としたことを特徴とする請求項１又は請求項２記載の多条刈りコンバイン。
【請求項４】
前記第１穀稈掻込み装置（８）に備える掻込みスターホイル（２１）を、刈幅方向中央の一対の穀稈掻込み装置（７，７）に備えた掻込みスターホイル（２１）に噛み合わせて連動する構成としたことを特徴とする請求項１又は請求項２又は請求項３記載の多条刈りコンバイン。
【手続補正２】
【補正対象書類名】明細書
【補正対象項目名】全文
【補正方法】変更
【補正の内容】
【発明の詳細な説明】
【発明の名称】多条刈りコンバイン
【技術分野】
【０００１】
この発明は、多条刈りコンバインに関する。
【背景技術】
【０００２】
従来から多条刈りのコンバインに関する公知技術は、公開公報上にも多数公開されており、例えば、特開昭６１−２０２６２２号、や特開平１１−４６５７１号の公開特許公報がその例である。
【０００３】
まず、特開昭６１−２０２６２２号の公開特許公報に開示されている公知技術は、明細書、及び図面に示されているように、多条刈りの引起し装置の外側に、１条分の引起体、及び掻込装置等を着脱可能に装備できる構成に関するものであって、要するに、１条分の刈取関連装置を着脱自在として取り付け、刈取条数を調節できる点に特徴がある。
【０００４】
そして、特開平１１−４６５７１号の公開特許公報に開示されている公知技術は、明細書と図面によれば、多条の刈取穀稈を左右両外側に搬送して左右の脱穀装置で脱穀し、選別後の穀粒を中央のグレンタンクに集めて貯留するコンバインが開示されている。
【０００５】
両者とも、多条刈りコンバインの公知例であるが、この種の多条刈りコンバインは、通常、大型トラック等に搭載して運搬ができる範囲の刈取条数（横幅）で製造されている。
【特許文献１】特開昭６１−２０２６２２号公開特許公報
【特許文献２】特開平１１−４６５７１号公開特許公報
【発明の開示】
【発明が解決しようとする課題】
【０００６】
従来、公知の多条刈りコンバインにおいて、車体上の刈取懸架台に基部を支持した後部フレームを、前方下部に延長してその前部に、横向きの伝動ケースを連結して平面視Ｔ型の刈取支持フレームを構成し、この刈取支持フレームに、穀稈掻込み装置や引起し装置、根元、穂先の各搬送装置を取り付けて構成する刈取搬送装置は、車体前部の右側に運転席（キャビン）や走行ミッションケースが配置されており、スペース上の制限が大きく、刈取条数を右側には増加できない制約がある。
【０００７】
更に、多条の刈取搬送装置は、これを平面視Ｔ型の刈取支持フレームに全てを支持させるためには、前後と左右、特に、左・右バランスを確保しながら刈取条数を増やすことが必要で、単に、横並びに配置して外側に追加する如く拡張することは許されない。
【０００８】
この発明は、従来の多条刈りコンバイン前部の配置構成の範囲内において、周囲部材に支障を与えない構成で、合理的に刈取条数を１条増やしながら、刈取支持フレーム上の重量バランスを確保して７条刈りの刈取搬送装置を構成している。そして、追加１条の本件穀稈掻込み装置は、隣接の２条１組の穀稈掻込み装置の根元搬送チエンや穂先搬送ラグを利用できる関係位置に配置して設け、搬送装置の簡略化を図りながら、１条の刈取穀稈の合流、搬送の円滑化を図るものとしている。
【０００９】
そして、この発明は、１条の穀稈掻込み装置の伝動機構に関しても、刈取穀稈の搬送障害を避けながら適確に伝動ができる配置構成にしている。
【課題を解決するための手段】
【００１０】
この発明は、上記課題を解決するために、次のような技術的手段を講じる。
即ち、請求項１に記載した発明は、車体（１）上の刈取懸架台（２）に後部フレーム（３）の基部を支持させ、該後部フレーム（３）を前部下方に延設し、該後部フレーム（３）の前端部に横向きの伝動ケース（４）を連結し、該伝動ケース（４）の前側に刈取装置（６）を設け、該刈取装置（６）の上側に２条分の穀稈を掻込み案内する左右一対の穀稈掻込み装置（７，７）を刈幅方向に三対配列して設け、該三対の穀稈掻込み装置（７，７）のうちの刈幅方向一側端に設けた一対の穀稈掻込み装置（７，７）の刈幅内側に隣接する位置に１条分の穀稈を掻込み案内する単一の第１穀稈掻込み装置（８）を配置して７条刈りの刈取搬送装置を構成したことを特徴とする多条刈りコンバインである。
【００１１】
即ち、コンバインの前部右側に装置されている運転席（キャビン）や走行ミッションケースに障害を与えない範囲で刈取条数を増加している。
そして、重量バランスを保ちながら７条刈りの刈取搬送装置を構成しており、刈取全体のバランスを向上させたものである。
【００１２】
つぎに、請求項２に記載した発明は、前記第１穀稈掻込み装置（８）は、伝動ケース（４）の前側から取り出した回転動力を、２条分の穀稈を掻込み案内する左右一対の穀稈掻込み装置（７，７）のうちの一方の穀稈掻込み装置（７ａ）と、１条分の穀稈を掻込み案内する穀稈掻込み装置（８）との背後に配置した伝動機構（１１）を介して伝動する構成としたことを特徴とする請求項１記載の多条刈りコンバインである。
【００１３】
即ち、伝動機構（１１）を穀稈の搬送径路を避けて裏側に配置し、搬送障害を未然に回避して円滑な搬送を可能とし、合理的な伝動ができるものとなっている。
また、請求項３に記載した発明は、前記第１穀稈掻込み装置（８）を、刈幅方向一側端に設けた一対の穀稈掻込み装置（７，７）における刈幅内側の穀稈掻込み装置（７）と略平行に配置し、該第１穀稈掻込み装置（８）によって掻込まれた穀稈を搬送する第１根元搬送チェン（２３）を設け、該第１根元搬送チェン（２３）で搬送された１条分の穀稈を、刈幅方向一側端に設けた一対の穀稈掻込み装置（７，７）によって掻込まれた穀稈を後方の合流部へ搬送する第２根元搬送チェン（９）の側に送り、該第２根元搬送チェン（９）で搬送される２条分の穀稈と合流させて合流部へ搬送する構成としたことを特徴とする請求項１又は請求項２記載の多条刈りコンバインである。
また、請求項４に記載した発明は、前記第１穀稈掻込み装置（８）に備える掻込みスターホイル（２１）を、刈幅方向中央の一対の穀稈掻込み装置（７，７）に備えた掻込みスターホイル（２１）に噛み合わせて連動する構成としたことを特徴とする請求項１又は請求項２又は請求項３記載の多条刈りコンバインである。
【発明の効果】
【００１４】
請求項１記載の発明によると、コンバインの前部右側に装置されている運転席（キャビン）や走行ミッションケースによって制約されたスペースにおいて、配置上、及び作用上の障害を発生させない範囲で刈取条数を増加し、刈取搬送装置全体の重量バランスを保ちながら７条刈りの刈取搬送装置を構成して、刈取作業の能率を向上させることができる。
【００１５】
そして、請求項２記載の発明によると、上記請求項１に記載した発明の効果を奏するうえに、穀稈掻込み搬送装置（８）の伝動機構（１１）を穀稈の搬送径路から避けて裏側に配置し、搬送障害を回避して円滑な搬送を可能とし、刈取作業の能率を向上させることができる。
請求項３記載の発明によると、上記請求項１又は請求項２に記載した発明の効果に加え、第１穀稈掻込み装置（８）によって掻込まれ、第１根元搬送チェン（２３）で搬送れる１条分の刈取穀稈を、第２根元搬送チェン（９）で搬送される２条分の穀稈に合流させることで、第２根元搬送チェン（９）後部での７条分の穀稈の合流を円滑に行なわせることができる。
請求項４記載の発明によると、上記請求項１又は請求項２又は請求項３記載の発明の効果に加え、１条分の穀稈を掻込み案内する第１穀稈掻込み装置（８）の伝動機構の簡素化を図ることができる。
【発明を実施するための最良の形態】
【００１６】
以下、この発明の実施例を図面に基づいて具体的に説明する。
まず、コンバインは、図１、及び図２に示すように、クローラ１５，１５を装備した車体１上に、穀稈供給口１６を前側に位置させて脱穀装置１７を搭載し、その前側に刈取搬送装置１８を昇降自由に連結した構成としている。
【００１７】
そこで、刈取搬送装置１８の支持機枠は、上記脱穀装置１７の前側、車体１の前部に刈取懸架台２が装置され、その刈取懸架台２上に基部を枢着状態に支持した後部フレーム３を、前部下方に延長してその前端部に、横向きの伝動ケース４を連結して平面視Ｔ型の刈取支持フレーム５を構成している。そして、刈取搬送装置１８は、前記刈取支持フレーム５上に各部材を支持するが、図１に示す実施例の場合、前部低位置に８個の分草杆１９を横にして略等間隔を保持して配置し、伝動ケース４の前側機枠に固着して設けている。そして、刈取装置６は、前記伝動ケース４の前側機枠から前方側に支持して設け、前記した各分草杆１９の後方位置に横方向の全幅に渡って配置しており、刈取条列ごとに掻込まれる穀稈根元の刈り取りが出来る構成としている。
【００１８】
そして、穀稈掻込み装置７，７は、図１に示すように、左右の掻込みラグベルト２０と掻込みスターホイール２１とからなり、前側を広くして２条の穀稈列（Ｋ）（圃場における穀稈条列）を掻込み、前記刈取装置６に案内する左右一対を１組として、全部で３組を横方向に配列して構成している。
【００１９】
そして、一つの穀稈掻込み装置（第１穀稈掻込み装置）８は、図面から明らかなように、一つの掻込みラグベルト２０と掻込みスターホイール２１とからなり、対向側には案内杆３７を設けて１条の穀稈列（Ｋ）を掻込んで前記刈取装置６に案内する構成とし、前記穀稈掻込み装置７，７の左端にある１組のすぐ右側に隣接して配置した構成としている。そして、刈取支持フレーム５は、３組の２条用の穀稈掻込み装置７，７と１条用の穀稈掻込み装置８とによって、全部で７条の穀稈列（Ｋ）を同時に刈取る７条刈りの構成としている。２２は穀稈引起し装置を示し、各刈取条ごとに設けている。
【００２０】
このように構成した刈取搬送装置１８は、図１に示す実施例の平面視で解るように、圃場に植立する７条の穀稈列（Ｋ）との関係位置が、後部フレーム３の前方に１条が位置し、他の６条は、前記１条を中心にして左右両側に３条づつが位置する状態になり、両側でそれぞれ３条の刈取が出来る配置構成となって、刈取支持フレーム５上において、左右の重量バランスが確保された構成となっている。
【００２１】
そして、前記した３組の穀稈掻込み装置７，７は、それぞれ刈取装置６まで掻込み、案内して刈り取った穀稈を、後部上方の合流部位まで単独に搬送するために、根元搬送チェン９と穂先搬送ラグ１０とを備え、これらの刈取穀稈を搬送する構成としている。
【００２２】
そして、１条用の穀稈掻込み装置８は、図１に示すように、左端の１組の穀稈掻込み装置７，７の隣接側（右側）の穀稈掻込み装置７と同一方向に傾斜させてその穀稈掻込み装置７と略平行状に配置して設け、１条の刈取穀稈を、左側の１組の穀稈掻込み装置７，７の根元搬送チェン（第２根元搬送チェン）９と穂先搬送ラグ１０とを利用できるように搬送する根元搬送チェン（第１根元搬送チェン）２３と案内杆３７を設けた構成としている。したがって、この根元搬送チェン２３は、１条の刈取穀稈を前記した左側の１組の穀稈掻込み装置７，７の根元搬送チェン９と穂先搬送ラグ１０側に送って、左側の２条の搬送穀稈列に合流させながら後部、上方へ搬送する構成としている。２４は上記根元搬送チェン２３の後半部の上方に設けている穂先搬送ラグである。
【００２３】
以上の構成において、前記刈取装置６の右端に位置する１組の穀稈掻込み装置７，７の後部から刈取穀稈を、後部中央位置の後部フレーム３上方位置の合流部まで搬送する根元搬送チェン９と穂先搬送ラグ１０は、図１に示すように、車体前部の右側に配置されている運転席（キャビン）２５や走行ミッションケース２６の存在によって受けるスペース上の制約を回避し、重量バランスを崩さない範囲で左側に刈取条数を増加した構成としている。
【００２４】
つぎに、上記した１条の穀稈を掻込み案内する穀稈掻込み装置８は、図３、乃至図５に示すように、後部フレーム３の前端に横向きに連結した伝動ケース４の前側から取り出した回転動力によって伝動する構成としている。実施例の場合、一連の伝動機構１１は、図５から解るように、１組の穀稈掻込み装置７，７の一方側７ａと、１条の穀稈を掻込み案内する穀稈掻込み装置８との背後に配置して構成している。そして、伝動機構１１は、具体的には図３、及び図４に示すように、後部フレーム３に内装した刈取伝動軸２７から伝動ケース４内の１組のベベルギヤ２８、一連の伝動装置２９を介して根元搬送チェン２３に入力する構成としている。
【００２５】
このように、伝動機構１１は、上記の如く（図５参照）、左右の中間にある１組の穀稈掻込み装置７，７の一方側７ａと、１条の穀稈を掻込み案内する穀稈掻込み装置８の背後に配置して構成したから、刈取穀稈の搬送径路を避けており、搬送障害を未然に回避しながら円滑な伝動ができるものとなった。
【００２６】
つぎに、追加１条の穀稈掻込み装置８を、刈幅の右端にある１組の２条の穀稈掻込み装置７，７の左側（後部フレーム３より右側位置）に配置して構成した７条刈りの刈取搬送装置１８について、図６、乃至図８に基づき実施例を説明する。
【００２７】
まず、１条の穀稈掻込み装置８は、図面に示すように、図１で説明した実施例と反対側の右側に配置して７条刈りの構成としている。そして、実施例に係る穀稈掻込み装置８は、すぐ右隣の穀稈掻込み装置７と同一方向に傾斜させて平行状態に配置した構成とし、図１で既に説明したように、右側の１組の穀稈搬送装置（根元搬送チエン９、穂先搬送ラグ１０）３０を利用して１条の穀稈を合流させて上部後方に搬送する構成としている。そして、１条の穀稈掻込み装置８は、図１に基づいて説明したように、掻込みラグベルト２０と掻込みスターホイール２１とから構成し、刈取穀稈を上記穀稈搬送装置３０間で搬送する根元搬送チェン２３を備えている。
【００２８】
このように構成すると、左側の追加１条について説明したとおり、右１条の穀稈掻込み装置８は、専用の搬送装置を省略できる上に、後部上方の合流前に１条の穀稈列Ｋの刈取穀稈を、隣の２条に合流し、後部における全体の合流を円滑に行うことができる。
【００２９】
つぎに、追加１条の穀稈掻込み搬送装置８は、図７に示すように、前記根元搬送チェン２３の取付高さを、左隣に設けた左右一対を１組とする２条の穀稈掻込み装置７，７の根元搬送チェン９と同一高さの位置に設けたスプロケット３１，３２に巻き掛けて伝動する構成としている。
【００３０】
このように、２本の根元搬送チェン２３，９とを、同一高さ位置に装置したスプロケット３１，３２によって伝動する構成にすると、これらの支持部材やスプロケット３１，３２の伝動軸等、ほとんどの部品が共用可能となり、全体で大幅にコスト低減が可能になる特徴がある。
【００３１】
つぎに、図８に示した実施例は、１条用の穀稈掻込み装置８に関し、伝動機構の簡素化を図った構成にしている。すなわち、穀稈掻込み装置８は、図面に示すように、左側の２条用の穀稈掻き込み装置７を構成する掻込みスターホイール２１に、掻込みスターホイール２１を噛み合せて回転動力を入力して伝動する構成としている。
【００３２】
このように、実施例は、隣に接近させて軸架している掻込みスターホイール２１を利用して、１条用の穀稈掻込み装置８の掻込みスターホイール２１を噛み合せて入力する構成にすることによって、伝動機構の簡略化を図っている。
【００３３】
つぎに、図９に示した実施例は、既に説明した図１に示す７条刈の刈取搬送装置において、その左側にもう１条の穀稈掻込み装置３５を追加して８条刈りの構成にしたものである。そして、穀稈掻込み装置３５は、図９に示すように、隣接する１条用の穀稈掻込み装置８の掻込みスターホイール２１に、掻込みスターホイール３６を噛み合せて伝動する構成とし、伝動装置の簡略化を図っている。
【図面の簡単な説明】
【００３４】
【図１】７条刈りの刈取搬送装置の平面図
【図２】コンバインの側面図
【図３】一部破断して伝動機構を示す側面図
【図４】線図で示す伝動機構図
【図５】主として伝動機構を説明するための刈取搬送装置の平面図
【図６】他の実施例を示す７条刈りの刈取搬送装置の平面図
【図７】他の実施例を示す７条刈りの刈取搬送装置の平面図
【図８】他の実施例を示す７条刈りの刈取搬送装置の平面図
【図９】他の実施例を示す８条刈りの刈取搬送装置の平面図
【符号の説明】
【００３５】
１    車体
２    刈取懸架台
３    後部フレーム
４    伝動ケース
６    刈取装置
７    穀稈掻込み装置
７ａ  穀稈掻込み装置
８    穀稈掻込み装置（第１穀稈掻込み装置）
９ 根元搬送チェン（第２根元搬送チェン）
１１    伝動機構
２１  掻込みスターホイル
２３ 根元搬送チェン（第１根元搬送チェン）